(57)【要約】      （修正有）【課題】従来のトンネル掘削機に比べて極めて簡単な構成によるメッセルによるトンネル掘削装置であって、全メッセルが押し出された後、複数のジャッキを一斉に収縮させる操作の反復によって順次トンネルを掘削するトンネル掘削装置を提供する。【解決手段】トンネルの内面４に沿う一対のフレームが水平枠材１０，１１で固定されており、該フレームの外周に沿って配列された複数のメッセル３を、個々に、又は複数個を同時に前進可能に押圧する複数のジャッキ５を該フレーム間に固定し、各メッセルを前方に向けて個々に押し出し、全メッセルが押し出された後、複数のジャッキを一斉に収縮させる操作の反復によって、順次トンネルを掘削してゆく構成を特徴としたトンネル掘削装置。【選択図】図１
0003112456.tif 000002
【実用新案登録請求の範囲】
【請求項１】
トンネルの内面に沿う一対のフレームが水平枠材で固定されており、該フレームの外周に沿って配列された複数のメッセルを、個々に、又は複数個を同時に前進可能に押圧する複数のジャッキを該フレーム間に固定し、各メッセルを前方に向けて個々に押し出し、全メッセルが押し出された後、複数のジャッキを一斉に収縮させる操作の反復によって、順次トンネルを掘削してゆく構成を特徴とするメッセルによるトンネル掘削装置。
【請求項２】
複数のメッセルに設けられた凹部に対応し、該凹部に嵌着される複数のロッドがプッシングフレームと一体的に形成されたガイド部に挿通されており、レバーを介してメッセルの凹部にロッドを挿入嵌着させ、全メッセルが押し出された後、複数のジャッキを一斉に収縮させる操作によって、一対のフレームがトンネルの先方向へ推進されるように構成したことを特徴とする請求項１記載のメッセルによるトンネル掘削装置。
【請求項３】
プッシングフレームと一体的に形成されたガイド部に複数のロッドが挿通され、複数のメッセルに設けられた凹部に対応し該ロッド先端部を嵌着自在に操作するレバーの先端がＬ型形状に形成され、支軸を介して回動し、ロッド先端部の嵌着を容易に操作できるように構成したことを特徴とする請求項１記載のメッセルによるトンネル掘削装置。
【考案の詳細な説明】
【技術分野】
【０００１】  本発明は、メッセルによるトンネル掘削装置に関する。
【背景技術】
【０００２】  この種のトンネル施工方法およびトンネル施工機械が種々提案されているが、多数の鋼矢板を地山へ押し込んで内側の地山を掘削する場合、鋼矢板を押し込むための油圧ジャッキを手動で操作するので作業性の悪いものであった。これを解消するために例えば特開平５−１３３１８２に示すようなトンネル施工方法およびトンネル施工機械が開発されている。【０００３】
【特許文献１】  特開平５−１３３１８２
【０００４】  前記せる特開平５−１３３１８２では、内部にスクリューコンベアを設けたドラムカッタをフロントメッセルの前部に設け、ドラムカッタによって地山を切削したのちフロントメッセルを前進させて移動支保工を前進させ、次いで、後退したフロントメッセルを再び突出させてマルチアロー掘進機を前進させて掘削作業を進行させるものであった。
【考案の開示】
【考案が解決しようとする課題】
【０００５】
【０００７】  上述した特許文献１による従来構造では、フロントメッセル前方の地山の外周をドラムカッタによって掘削し、そこに移動支保工を前進させる工程を進行させるものであった。しかしながら、地質によっては、このような工程を経ずに、装置の簡略化によって設備コストを低減し、且つ簡単な操作によって作業コストを低減できるトンネル施工方法およびトンネル施工機械が求められる。【０００８】  本考案はこのような事情に鑑みてなされたものであり、コンパクトな構成で、取扱いが容易で、設置部分への設置や接続も容易で、構造も簡単で低コスト化も図れるトンネル掘削装置を得ることを目的とする。
【課題を解決するための手段】
【０００９】  トンネルの内面に沿う一対のフレームが水平枠材で固定されており、該フレームの外周に沿って配列された複数のメッセルを、個々に、又は複数個を同時に前進可能に押圧する複数のジャッキを該フレーム間に固定し、各メッセルを前方に向けて個々に押し出し、全メッセルが押し出された後、複数のジャッキを一斉に収縮させる操作の反復によって、順次トンネルを掘削してゆく構成を特徴とし、複数のメッセルに設けられた凹部に対応し、該凹部に嵌着される複数のロッドがプッシングフレームと一体的に形成されたガイド部に挿通され、レバーを介して嵌着自在に構成され、全メッセルが押し出された後、複数のジャッキを一斉に収縮させる操作によって、一対のフレームがトンネルの先方向へ推進されるように構成したことを特徴とし、且つ、プッシングフレームと一体的に形成されたガイド部に複数のロッドが挿通され、複数のメッセルに設けられた凹部に対応し該ロッド先端部を嵌着自在に操作するレバーの先端がＬ型形状に形成され、支軸を介して回動し、ロッド先端部の嵌着を容易に操作できるように構成したことを特徴とるトンネル掘削装置を提供する。
【考案の効果】
【００１０】  本考案のトンネル掘削装置によれば、従来の装置に比べて取扱いが容易で、設置部分への配置や接続も容易で、構造も簡単で低コスト化も図れるトンネル掘削をすることができる。
【考案を実施するための最良の形態】
【００１１】  以下、図面に基づき本考案の構成を具体的に説明する。図面において、図１は本考案に係るトンネル掘削装置の正面図である。図２は本考案に係るトンネル掘削装置の縦断面図である。図３は図２の部分拡大図である。図４は図３の部分拡大図である。【００１２】  図１乃至図２に示すように、トンネルの内面４に沿って一対のフレーム６，７が水平枠材１０，１１等で固定されており、該フレーム６，７の外周に沿って複数のメッセル３，３等が個々に配列されている。更に、複数個のメッセル３，３等を同時に前進可能に押圧する複数のジャッキ５，５等が該フレーム６，７間に固定されている。【００１３】  プッシングフレーム５１と一体的に形成されたガイド部５０に複数のロッド５２が挿通されており、複数のメッセル３，３等に設けられた凹部３１，３１等に対応し該ロッド５２の先端部をそれぞれ凹部３１，３１に嵌着することができる。【００１４】  ロッド５２の先端部をそれぞれ凹部３１，３１に嵌着するには、レバー５３の操作で簡単に行うことができる。すなわち、レバー５３の先端がＬ型形状に形成され、支軸５５，５６，５７を介してレバー５３を回動させてアーム５８を突出させ、ロッド５２の先端部をメッセル３に設けた凹部３１に挿入嵌着させることができ、嵌着後はロッド５２の外周が部分的にガイド部５０に接触しているので簡単に離脱することはない。【００１５】  ロッド５２の先端部をメッセル３に設けた凹部３１から離脱させるには、レバー５３の操作で容易に離脱させることができる。【００１６】  駆動機構６１を介して、各メッセル３，３を前方に向けて個々に押し出し、全メッセル３，３が押し出された後、複数のジャッキ５，５を一斉に収縮させる操作の反復によって順次トンネルを掘削してゆくことが可能である。【００１７】  すなわち、駆動機構６１を介して全メッセル３，３が押し出された後、更に複数のジャッキ５，５を一斉に収縮させる操作によって、一対のフレーム６，７がトンネルの先方向へ推進されるのは、ジャッキ５，５を一斉に収縮してもメッセル３，３は周囲の地山との摩擦抵抗のために後退することはなく、代わりに一対のフレーム６，７が前進することになる。【００１８】  一対のフレーム６，７が前進した後は、固定支保工８，９と同様の固定支保工をトンネル２内に組立ててゆき、長いトンネルでも前記せる操作の反復によって形成していくことができる。
【図面の簡単な説明】
【００１９】
【図１】  本考案に係るトンネル掘削装置の正面図である。
【図２】  本考案に係るトンネル掘削装置の縦断面図である。
【図３】  図２の部分拡大図である。
【図４】  図３の部分拡大図である。
【符号の説明】
【００２０】  １．地山
２．トンネル
３．メッセル
３１．凹部
４．トンネルの内面
５．ジャッキ
５０．ガイド部
５１．プッシングフレーム
５２．ロッド
５３．レバー
５４．フランジ
５５．支軸
５６．支軸
５７．支軸
５８．アーム
６．フレーム
６１．駆動機構
７．フレーム
８．固定支保工
９．固定支保工
１０．水平枠材
１１．水平枠材
【図１】
0003112456.tif 000003
【図２】
0003112456.tif 000004
【図３】
0003112456.tif 000005
【図４】
0003112456.tif 000006